(57)【要約】例えばスタッド、家具、及び大型の設備の垂直方向の高さを調整するための調整装置が提供されている。本装置には基部（１２）、該基部から直立しかつ該基部によって支持されたピン（１４）及び回転可能なカム素子（２０）が備えられている。ピンには多数の溝（１６）が設けられ、カムは１または２以上の溝と噛合って基部とカムとの間の間隔を変更することができる。さらに、２組のチャネルを備えるスタッドあるいは縦仕切りも開示されており、各チャネルはパネルまたはブラケットを取り付けるための連携手段を受けるようになっている。チャネルは組同士が互いに平行に配され、かつ平行に間隔を空けたウェブ（３２、３４）によって間隔が空けられている。本調整装置はスタッドあるいは縦仕切り中へ挿入されてもよい。さらに、パネルあるいはブラケットをスタッドまたは縦仕切りへ取り付けるための接合クリップ（図示なし）も開示されている。クリップは２つの部分から成り、第一部分にはクリップをパネルへ連結する手段が備えられ、第二部分には一対の可撓性アームが備えられ、この第二部分は第一部分と接合可能である。
2004521212.tif 000002
【特許請求の範囲】
【請求項１】
基部、
前記基部から直立し及び前記基部によって支持される、複数の溝が設けられたピン、及び
１または２以上の前記溝と噛合って前記基部とカム素子との間の間隔を変更できる回転可能なカム素子、を備える調整装置。
【請求項２】
前記基部に対して前記カム素子を付勢する手段をさらに備えることを特徴とする請求項１項記載の装置。
【請求項３】
前記付勢手段に前記カム素子を前記基部から離れるように付勢するスプリングが備えられていることを特徴とする請求項２項記載の装置。
【請求項４】
前記溝が傾斜していることを特徴とする請求項１項ないし３項のいずれかに記載の装置。
【請求項５】
前記溝がねじ山を形成することを特徴とする請求項４項記載の装置。
【請求項６】
前記溝が平行であり、前記ピンが対向し合う側面を有し、及び前記一組の溝が前記ピンの側面のうちの一方に配置され、第二の一組の溝が前記ピンの対向する他の側面に配置されていることを特徴とする請求項４項記載の装置。
【請求項７】
前記カム素子に、前記溝の１または２以上と噛合って前記カム素子と前記基部との間の間隔を変更するように適合した突出部が設けられていることを特徴とする請求項１項ないし６項のいずれかに記載の装置。
【請求項８】
前記突出部が、いずれの溝も噛合っていない時に、前記ピンが前記カム素子を通って通過できるようになっていることを特徴とする請求項７項記載の装置。
【請求項９】
前記カム素子に、該カム素子の回転を容易にする器具を受けるようになった開口部が設けられていることを特徴とする請求項１項ないし８項のいずれかに記載の装置。
【請求項１０】
第一の組のチャネルと第二の組のチャネルを備え、各組の各チャネルはパネルまたはブラケットを前記建築部材へ取り付けるための連携手段を受けるようになっており、前記第一の組のチャネルは前記第二の組のチャネルに対して平行でかつ該第二の組のチャネルから一定間隔が空けられており、前記第一の組のチャネルは第一及び第二ウェブによって前記第二の組のチャネルから間隔が空けられており、前記第一ウェブは前記第二ウェブに対して平行でかつ該第二ウェブから一定間隔が空けられていることを特徴とする、スタッドあるいは縦仕切りとしての使用に適する建築部材。
【請求項１１】
チャネルの各組が３つのチャネルから成ることを特徴とする請求項１０項記載の建築部材。
【請求項１２】
前記建築部材に第一及び第二アームが備えられ、前記第一アームは前記第二アームに対して一定角度をなし、各アームには第一のチャネル一組、第二のチャネル一組及び、第一及び第二ウェブが備えられていることを特徴とする請求項１０項または１１項記載の建築部材。
【請求項１３】
前記第一及び第二アーム間の角度が９０°であることを特徴とする請求項１２項記載の建築部材。
【請求項１４】
２以上のアームを有することを特徴とする請求項１２項記載の建築部材。
【請求項１５】
３本のアームを有し、かつＴ字形状であることを特徴とする請求項１４項記載の建築部材。
【請求項１６】
４本のアームを有し、かつ十字形状であることを特徴とする請求項１４項記載の建築部材。
【請求項１７】
前記複数のアームが２以上の平面に存在することを特徴とする請求項１４項記載の建築部材。
【請求項１８】
請求項１０項ないし１７項のいずれかに記載の建築部材中へ挿入された請求項１項ないし９項のいずれかに記載の調整装置。
【請求項１９】
パネルあるいはブラケットを請求項１０項ないし１７項のいずれかに記載された建築部材へ取り付けるようになっており、かつ一対の可撓性アームが備えられた前記連携手段とさらに接合クリップをパネルあるいはブラケットへ連結する手段を備える接合クリップとしての建築部材であって、前記接合クリップには前記接合クリップをパネルまたはブラケットへ連結するための手段を含む第一部分と前記一対の可撓性アームを含む第二部分が設けられ、前記第一部分は前記第二部分と接合するようになっていることを特徴とする、前記接合クリップとしての建築部材。
【請求項２０】
前記第一部分に前記第二部分上のチャネルへ噛合いあるいは滑り込むようになった突出部が設けられていることを特徴とする請求項１９項記載の建築部材。
【請求項２１】
前記第二部分に前記第一部分上のチャネル中へ噛合いあるいは滑り込むようになった突出部が設けられていることを特徴とする請求項１９項記載の建築部材。
【請求項２２】
前記第一及び第二部分がこれら相互間の結合を補助するように比較的可撓性である素材で作られていることを特徴とする請求項１９項ないし２１項のいずれかに記載の建築部材。
【請求項２３】
内部排水系あるいは密封体としても機能することを特徴とする請求項１９項ないし２２項のいずれかに記載の建築部材。
【請求項２４】
剛性のある素材から成ることを特徴とする請求項１９項記載の建築部材。
【請求項２５】
ステンレススチールから成ることを特徴とする請求項２４項記載の建築部材。
【請求項２６】
前記補助手段中に備えられた前記可撓性アームにチャネルの壁の溝を補足するようになった溝が設けられていることを特徴とする請求項１９項記載の建築部材。
【請求項２７】
添付図面の図１及び２、または３、または４ないし１２を参照して本出願書類中に実質的に記載された調整装置。
【請求項２８】
添付図面の図１ないし３、または３、または４ないし１２、または１３及び１４、または１５、または１６、または１７を参照して本出願書類中に実質的に記載されたスタッドあるいは縦仕切りとしての建築部材。
【請求項２９】
添付図面の図１ないし１３及び１４を参照して本出願書類中に実質的に記載された接合クリップとしての建築部材。
【発明の詳細な説明】
【技術分野】
【０００１】
本発明は、建築作業におけるスタッド等の垂直高の調整に特に有用な調整装置に関する。便宜上、本発明はしばしば上記との関連性において説明されているが、本発明はこの分野に限定されるものではない。本発明の用途は広く、例えば家具組立との関連、及びレストランのテーブル、冷蔵庫、洗濯機等の水準度調整にも利用することが可能である。さらに他の用途にも利用可能である。
本発明はさらに建設工業に関連する有用かつより改善された建築部材にも関する。本発明は建築における内壁や内部の仕切り及び外壁、特に外装材に利用可能である。尚、本発明は必ずしもこれらの用途に限定されないことを理解されたい。
【背景技術】
【０００２】
第一の態様に関して、建築産業においては、他の多くの用途と同様に、最大６〜７ｍｍまで調整できることが望ましい。本発明は上記程度の調整を可能とする装置を提供することが目的であるが、少なくとも態様によっては前記装置が例えば５０ｍｍ以上のずっと大きな調整に使用できることも有用である。
加圧はもちろん、あるいは加圧に代えて張力を付与できる調整装置を提供することも望ましい。つまり、前記装置は「引っ張る」と同時に「押し付ける」こともできることが望ましい。本発明は少なくともいくつかの態様において、上記装置を提供することを目的としている。
【０００３】
第二の態様に関して、本発明は国際特許出願ＰＣＴ／ＡＵ９７／００６８１（以下「ＰＣＴ出願」という）に開示された発明の発展形であり、該出願の内容は本明細書中に参照のため含めてある。
【０００４】
前記ＰＣＴ出願はスタッドとしての建築部材について開示している。このスタッドには第一のチャネル一組と第二のチャネル一組が設けられている。各組の各チャネルは前記スタッド上へパネルあるいはブラケットを取り付けるための補助手段を受けるようになっている。前記第一のチャネル一組は前記第二のチャネル一組と平行で、かつ間隔を有している。
前記チャネルの数に関する限定はないが、各組について３個であることが好ましい。また、前記第一のチャネル一組は単一のウェブによって前記第二のチャネル一組から間隔を有していることが好ましく、この状態は図１ないし３、６、８、１０及び１２ないし２０に示されている。
【０００５】
前記ＰＣＴ出願にはさらに接合クリップとしての建築部材が開示されている。この接合クリップは、前記ＰＣＴ出願に同じく開示されているスタッドへパネルあるいはブラケットを取り付けるようになっている。この接合クリップには、（スタッド各組の各チャネル中に受けられる）補助手段が備えられている。この接合クリップにはさらに、該接合クリップを前記パネルあるいはブラケットへ連結する手段が備えられている。この補助手段には一対の可撓性アームが備えられている。
【発明の開示】
【発明が解決しようとする課題】
【０００６】
第一の態様として、本発明では、
基部、
前記基部から直立しかつ同基部によって支持された、複数の溝が設けられたピン、及び
前記溝の１または２以上と噛合って前記基部とカム素子との間の間隔を変更できる回転可能なカム素子、を備える調整装置が提供されている。
本調整装置には前記基部に対して前記カム素子を付勢するスプリング等の手段が備えられていることが好ましい。尚、この付勢は前記基部から離れる方向のものであることが好ましい。本調整装置にはさらに、一旦基部とカム素子間に望ましい間隔が得られれば適所へカム素子をロックする手段が備えられていてもよい。もしカム素子がロックされていないならば、前記付勢手段の作用によってカム素子が基部から離れる方向に本調整装置を設計することも可能である。前記ピンの長さ及び前記溝の選択位置次第で、本調整装置をいかなる所望の範囲までも調整可能とすることができる。
【０００７】
本発明に係る調整装置はスタッドあるいは他の建築部材への挿入に特に適しているので、スタッドの垂直整合を本調整装置を用いて調整することが可能である。この場合、カム素子は建築構造物の床上においてスタッドを支える基部とともにウェブ中へ挿入されることが好ましい。カム素子を回転させることによってスタッドの高さを上方あるいは下方へ望み通りに調整することが可能である。本発明に係る調整装置は本発明の第二の態様に係る建築部材への挿入にも適していることが好ましい。
【０００８】
本発明の第二の態様に関して、もし前記第一の組のチャネルが相互に間隔を空けた第一及び第二のウェブによって前記第二の組のチャネルから一定の間隔を空けられるならば、前記ＰＣＴ出願記載のスタッドをより改善された形態に製造できることが見出された。
また、スタッドの改良を行うことにより、外壁、特にガラス張りあるいは外装材パネルに関して特に有用な縦仕切り（マリオン）を形成できることも見出された。
従って、第二の態様において、本発明は第一の組のチャネルと第二の組のチャネルを備える建築部材であって、各組の各チャネルは建築部材上へパネルあるいはブラケットを取り付けるための連携手段を受けるようになっており、前記第一の組のチャネルは前記第二の組のチャネルに平行でかつ第一及び第二のウェブによって前記第二の組のチャネルから一定間隔を空けて設けられ、前記第一ウェブは前記第二ウェブに平行でかつそれから一定間隔を空けて配置されていることを特徴とする、スタッドあるいは縦仕切りとしての使用に適する建築部材を提供している。
【０００９】
前記連携手段へ前記ＰＣＴ出願において開示されたものと同様な一対の可撓性アームを備えることも可能である。また、該アームに代えて、あるいはそれに加えて、前記連携手段へ、その開示内容を本明細書中に参照のため記載した国際特許出願Ｎｏ．ＰＣＴ／ＡＵ９９／００１８５に開示されたものと同様な遠隔装置によって作動できる留め金具を備えることも可能である。
【００１０】
前記ＰＣＴ出願において開示されたクリップの製造方法を一部分以上において工夫できることが今や見出された。工場において前記接合クリップの一部をパネルあるいはブラケットへ取り付け、さらに前記連携手段を含む該クリップの他の部分を前記パネルから切り離して移動し建築場所において取り付けられるので、この方法は特に有用である。これにより、移動中に連携手段へ損傷が起こることを防止することが可能となる。
上記したいくつかの実施態様における新たなクリップの他の有用な特徴は、スタッドあるいは縦仕切りとパネルあるいはブラケットとの配列に関して与えられる寸法上の許容性である。
【００１１】
従って、本発明は第三の態様において、上記のスタッドあるいは縦仕切りへのパネルあるいはブラケットの取り付けに適した接合クリップとしての建築部材を提供している。この接合クリップには連携手段が備えられ、さらにパネルあるいはブラケットへ接合クリップを連結する手段も備えられ、前記連携手段には一対の可撓性アームが備えられ、前記接合クリップにはパネルあるいはブラケットへ接合クリップを連結する手段を備える第一部分と前記一対の可撓性アームを備える第二部分が設けられ、この第一部分は第二部分と噛合うようになっていることが特徴となっている。
【００１２】
前記第一部分はパネルあるいはブラケットへ例えば接着、釘打ち、あるいはねじ留め等の単純な方法で取り付けられることが好ましい。前記第一部分はいずれか適当な方法で前記第二部分と噛合わせることができる。前記第一部分には前記第二部分上のチャネル中へ噛合うかあるいは滑り込む突出部が設けられていることが好ましい。逆に第二部分へ第一部分上のチャネル中へ噛合うかあるいは滑り込むように適合した突出部を設ける構成としてもよいことは勿論である。また他の構成とすることも可能である。
前記第一部分をクリップ担体と言い、他方前記第二部分をクリップと言うことができる。これらの用語は添付図面中に記載した好ましい実施態様に関して用いられる。また、前記第一及び第二部分の双方とも、一方と他方との噛合いを補助するため及び設置場所の広さの変化に柔軟に対応できるよう比較的可撓性のある材料を用いて作られることが好ましい。前記接合クリップの素材は現場での膨張及び収縮に対応できるものであってもよい。
前記接合クリップを適切に設計することにより、接合クリップはパネル組立体における内部ドレンとしても機能することが可能である。接合クリップは、この機能に代わってあるいはそれに加えて、パネル組立体のための密封体を形成することも可能である。
【００１３】
プラスチックポリマー等の比較的柔軟な素材で製造する代わりに、前記接合クリップの一方の部分あるいは両方の部分を、特に屋外での使用のために、より剛性のある素材で製造することも可能である。例えばステンレススチールを用いることができる。
【００１４】
前記したように、クリップ担体は工場内においてパネルへ取り付け可能である。クリップは建築場所で設置でき、またクリップ担体は建築場所において該クリップへ取り付け可能である。前記第一及び第二部分間の噛合いはそれら部分を一緒に押し付け、かつスタッドあるいは縦仕切り中の適当なチャネル中へ第二部分を押し付けることによって起こることが好ましい。しかしながら必要なら、一方をあるいは一方の一部を他方の中へ滑り込ませることによって噛合わせることも可能である。
前記したように、本発明に係るスタッドあるいは縦仕切り中に溝を形成してもよい。便宜上、これら溝の少なくともいくつかをチャネル壁中に形成してもよい。接合クリップ上の可撓性アーム上へ相補的な溝を形成して、少なくともチャネルから接合クリップが取り外されることが望まれるまで、選択されたチャネル中への接合クリップの固定を補助することも可能である。
【００１５】
当業者には明らかであるように、本発明に係る接合クリップ及びスタッドあるいは縦仕切りを用いてスタッドあるいは縦仕切りへパネルを前進固定することも可能である。また、いずれの場合も必要であれば適当な調整を加えて、本発明に係るスタッドあるいは縦仕切りを前記ＰＣＴ出願に記載の接合クリップとともに用い、また本発明に係る接合クリップを前記ＰＣＴ出願記載のスタッドとともに用いることが理解されるべきである。
本発明に係るスタッドあるいは縦仕切りへ、それらを現場で垂直方向に調整できる手段を備えることも可能であると考えられる。
本発明ではさらに、スタッドあるいは縦仕切りとしての本発明に係る建築部材へ一体化された本発明に係る調整装置が提供されている。本発明に係る調整装置は本発明の第二の態様に係る建築部材中へ挿入されていることが好ましい。
【００１６】
本発明の第二の態様に係る建築部材に関しては、各組の各チャネルには基部が備えられ、いくつかの用途においては、該基部を貫通して、あるいは基部へ貫入してねじ留めできることが有効である。互いに間隔を空けた２つのウェブを用いることにより、いずれのウェブの強度に影響を与えることなく、第一及び第二ウェブ間のチャネルの基部中へねじあるいは他の貫入型器具が挿入できるようになる。かかる効果は、例えば前記ＰＣＴ出願の図１に示された状態とよい対照をなすものである。もし前記ＰＣＴ出願の図１中の中央のチャネル１１の基部１３の中心を通してねじ留めすることを望むならば、ねじはウェブ１１へ貫入してその完全性を損ないスタッドを弱める可能性がある。かかる問題点は、本発明に係る建築部材を用いることによって防止することが可能となる。
【００１７】
本発明に係る建築部材がスタッドとして用いられる場合、前記第一及び第二ウェブを該建築部材の中心線に近接して配置し、この中心線が前記第一のチャネル一組の中心から前記第二のチャネル一組の中心を通って延びていることが好ましい。しかしながら、本発明に係る建築部材は縦仕切りとしても用いることができ、その場合は前記第一及び第二ウェブは可能な限り前記中心から離れて配置されていることが好ましい。
本発明に係るスタッドあるいは縦仕切りはいずれか適当な素材から製造できるが、スチールまたはアルミニウムから製造することが好ましい。望ましい場合は、本発明に係るスタッドまたは縦仕切りへ、質量の軽減のため、あるいは前記補助手段の受け入れ及び保持を強化するため、溝を形成することも可能である。かかる見地からの好ましい実施態様は添付図面に示されている。
前記第一及び第二ウェブを用いことによってもスタッドまたは縦仕切りが強化され、また捩れの起こる蓋然性を減じつつ、より軽重かつ薄い材料をそれらの製造に用いることが可能となる。
【００１８】
本発明に係る建築部材を縦仕切りとして用いる場合、一組のチャネルの形状が他の一組のチャネルの形状と異なっている方が都合がよい。本発明に係る縦仕切りを用いることにより、骨組が隠れている建物へ外装材あるいはファサードを供給するシステムの提供が可能となる。かかる骨組とはガラスあるいは外装材パネルに順応でき、上記パネルの簡単な嵌め込みが可能なものである。また縦仕切りは前記ファサードのための排水系を与えることも可能である。一組のチャネルはガラスあるいは外装パネルに適合でき、一方他の一組のチャネルは建築構造物の内装に適合できる。
とりわけ、本発明に係る建築部材が縦仕切りとして用いられる場合、該縦仕切りには第一アームと第二アームが設けられてもよく、前記第一アームは第二アームに対して一定の角度をなし、各アームは２以上のチャネルを備えて並行に設置される。
【００１９】
前記第一及び第二アームに加えて、本発明のこの態様による建築部材には第三、あるいは第三及び第四アーム、あるいはさらにそれ以上のアームが備えられていてもよい。第一及び第二アーム間の角度は９０°が好ましいが、他の角度を排除する意図ではない。アームが２個である場合、前記建築部材は好ましくは「Ｌ字形状」である。アームが３個である場合、前記建築部材は好ましくは「Ｔ字形状」を呈する。４個のアームを備える前記建築部材の形状は好ましくは十字形状である。
前記第一、第二アーム等は単一平面に位置しているか、あるいは２または３の平面に位置していてもよい。
【００２０】
各アームには３つのチャネルが備わっていることが好ましい。アーム同士が「接する」各チャネル間の接合部は、特に本発明のこの態様に係る建築部材が排水性を与えられるという要望が考慮されていれば、いかなる所望の形態をとってもよい。
望ましい場合、本発明の本態様による建築部材が２つのウェブによって結合された鏡像を成し、各アームが本発明の第二の態様によるスタッドに類似するよう該建築部材を形状化することも可能である。
【００２１】
調整装置としての本発明の第一の態様に関して、カム素子を、調整装置の取り付けられたスタッドあるいは他の素子をピン全体をカム素子を通して移動させることを必要とせずに上下できるように設計することも可能である。
本発明に係る調整装置中のピンは所望のいかなる長さとしてもよい。本発明に係る調整装置は、建築に使用される場合、多くは６−７ｍｍ前後の調整を行うために用いられるであろうが、本調整装置をさらに大きな調整に用いることも全く可能である。
前記ピン上の溝は傾斜していることが好ましい。これらの溝はねじ山を形成するかあるいはピンの反対面に傾斜した平行な一連の溝を形成してもよい。
【００２２】
前記カム素子には、溝と噛合って前記カム素子と前記基部との間の間隔を変更させる突出部が設けられていることが好ましい。
前記カム素子は、アレンキーあるいは類似の器具によって回転が起こされるように設計されていることが好ましい。
【００２３】
本発明に係る調整装置に付勢手段が備えられている場合、及び特に該調整装置をスタッドのウェブ中へ挿入する場合は、該調整装置は建築場所においてプレストレスが与えられた状態で供給されることが好ましい。これはスプリングによって与えられる付勢に抗して溝の１つへカム素子を噛合わせることによって達成可能である。建築場所において、（高さの僅かなあるいは大きな不一致を整えるため）スタッドの調整が望まれる場合、スタッドを上下させるため、カムを回転させて当初噛合っていた溝の上または下の溝と所望によって噛合わせることも可能である。前記調整装置にはカムを所望の位置に固定できる止め具が備えられている。前記カムをこの目的のための狭い弧で、例えば８０°より小さい角度範囲内で回転可能としてもよい。
【００２４】
上記実施態様において、もし建築場所においてより大きな高さの調整が必要であると判断されたならば、前記調整装置を、例えば８０°以上の回転を与えるとカムのピンとの噛合いが解かれるように設計することも可能である。そうすればスプリングの付勢によってカムが基部から離れるので調整を必要とする高さまで上げて、その後にカムを回転して別の溝へ噛合わせてからその新たな位置で固定する。このように本発明に係る調整装置は異なる位置にリセットできるので広範囲に及ぶ高さの調整に適応可能である。
【発明を実施するための最良の形態】
【００２５】
以下に本発明の種々態様についていくつかの実施態様を例に挙げて添付図面を参照しながら説明する。尚、以下に説明する実施態様によって本発明の範囲を限定する意図ではないことを理解されたい。
【００２６】
まず図１及び図２には、調整装置１０が基部１２から直立するピン１４を支持する基部１２とともに示されている。ピン１４にはこの例では、ピン１４の周囲にねじ形状に螺旋状に形成された複数の溝１６が設けられている。ピン１４には該ピン１４の頂部に端部止め具１８（図２参照）がさらに設けられている。
【００２７】
回転可能なカム素子２０はピン１４へ取り付けられるようになっており、カム素子２０にはそれが回転すると溝１６と噛合う内部突出部（図示せず）が設けられている。カム素子２０が一方向へ回転すると、カム素子はピン１４の上方へと登り、反対方向へ回転するとカム素子２０はピン１４から下降する。
カム素子２０には、アレンキー（図示せず）あるいはカム素子２０の回転を容易にする類似器具を挿入するための６角形状の開口部２２が設けられている。
カム素子２０は２つの部分２４及び２６から成っている。カム素子２０のピン１４へのロックはねじ２８によって行うことができる。
【００２８】
スタッド３０には二重のウェブ３２及び３４が備えられている。調整装置１０はウェブ３２及び３４のそれぞれに形成された開口部３６及び３８中へはめ込めかつ回転できるように設計されている。
【００２９】
当業者によれば容易に理解されるように、カム素子２０がピン１４上で回転するとスタッド３０が基部１２に対して上下され、こうしてスタッド３０の高さは所望される位置へ現場で調整される。
【００３０】
図３に示した第二の実施態様では、同様な部分には同じ符号が付されている。しかしながら、この第二の実施態様においてピン１４は、螺旋状のねじ溝ではなく側面が平坦で両側とも傾斜した溝が設けられた形状を成している。
本図では、内部突出部４０がカム素子２４上に示されている。カム素子２０が回転された時に傾斜した溝４２へ噛合うのはこの突出部である。
【００３１】
次に図４から図１２を参照して説明する。図１ないし図３と同様に、類似部分には同じ符号が付されている。調整装置１０はスプリング４４を備えている点で図３に示したものとは異なっている。スプリング４４はその上端においてクリップ４６によってスタッド３０へ取り付けられている。スプリング４４の下端は基部１２上へ載っている。スプリング４４はカム素子２０（スタッドを介して）を基部１２から離れるように付勢する。
【００３２】
図４に示した構成では、スプリング４４が圧縮され、突出部４０（本図では見えないため図３を参照）が溝４２の一つと噛合わされることによって該スプリングはその圧縮位置に保持される。アレンキーまたは他の適当な器具（図示せず）が六角形状の開口部２２中へ挿入され回転されると、突出部４０が溝４２と噛合うことにより、カム素子つまりはスタッド３０から基部１２までの間隔が変更される。もしカム素子２０が矢印４８で示される方向へ回転されると、前記間隔は増加する。逆方向への回転によって前記間隔は短くなる。
この実施態様では、内部止め具５１（図１２参照）（外側がリベット５０で表示されている）が約８０°を超える矢印方向の回転を制限している。もしこの段階でさらに調整が要求されるならば、矢印４８の方向と対向する方向へカム素子２０が回転することにより、突出部４０がすべての溝から離され、それによってピン１４のカム素子２０との噛合いも解かれる。スプリング４４によってカム素子２０及びスタッド３０は最大可能な位置まで持ち上げられる（スタッド３０上のいずれかの水平面及び／又は、ストレスがない状態におけるスプリング４４の長さによって決まる）。次いで矢印４８方向へのカム素子２０の回転によって突出部４０が溝４２と噛み合わされ、張力が付加された状態で所望の位置へスタッド３０が固定される。
カム素子２０をピン１４にある溝４２との噛合いから解放できるように、突出部４０（図３参照）は、カム素子２０内に隙間４１が残るように形成されている。隙間４１は、突出部４０が溝４２と噛合っていない時にピン１４がカム素子２０を通って通過できる大きさにされている。
【００３３】
上記いずれかの実施態様において、カム素子２０の部分２４及び２６をポップリベット締めを含むいずれか適当な方法で相互に取り付けられることは理解すべきことである。
【００３４】
次に図１３及び１４において、スタッド１１０には３本から成る２組に配置されたチャネル１１２が設けられている。各チャネル１１２には基部１１３が備えられている。チャネル１１２の各組は強化リブ１４０を備える平行なウェブ１３６及び１３８によって他方から分離されている。
【００３５】
接合クリップ１１６は２つの部分、すなわちクリップ担体１１５及びクリップ１１７から成っている。クリップ担体１１５は、溝１３１を通して部分１２０と部分１２１の間からパネル１１８中へ挿入されるねじまたは釘によって取り付けられるようになっている。クリップ担体１１５上の部分１２０及び１２１はクリップ１１７上のＣ字形状のチャネル１１９中へ押し込まれるか、あるいは滑動するようになっている。
クリップ１１７には、チャネル１１２の一つの中へ前進嵌め込め可能な可撓性アーム１１４ａ及び１１４ｂを備える補助手段が設けられている。アーム１１４ａ及び１１４ｂはチャネル１１２の側壁中の対応する溝へ入ってそこで固定する溝あるいは鋸歯１２６を持っている。
【００３６】
スタッド１１０にはさらに、重量を減ずるための溝１３２と、ねじ位置確定溝１３４が設けられている。
チャネル１１２の壁を二又状にして重量の軽減に役立つ大きな溝１４２を設けることも可能である。
【００３７】
既に指摘したように、工場においてクリップ担体１１５をパネル１１８へ取り付けておいて、建築場所へ搬送し、そこでクリップ１１７と結合させ、続いてスタッド１１０のチャネル１１２へ嵌め込むことも行える。
【００３８】
次に図１５において、スタッド１５０はスタッド１１０と類似しているが溝１３０、１３２及び１４２はより明瞭に示されている。しかしながら、スタッド１５０には強化リブ１４０がないことに気付くであろう。他の点においてスタッド１５０はスタッド１１０に極めて類似している。
【００３９】
図１６及び図１７では、建築部材１９０の各アームが対応するアームへウェブ１３６及び１３８によって連結されていることが分かる。
【産業上の利用可能性】
【００４０】
本発明に係る調整装置は構成部材の高さを調整するための便利かつ効率的な手段を提供する。例えばスタッドの整合のあるいは製造時の不十分な箇所を調整できるように、建築産業において直ちに利用できる装置である。本調整装置は、例えば同一場所において高さがかなり異なるスタッドの使用を可能とする。本調整装置は、とりわけ家具及び取付け具の同一水準性確保に利用することができる。
【００４１】
本発明に係るスタッドあるいは縦仕切りとしての建築部材は、これらスタッドあるいは縦仕切りの強度を低下させることなしに、ねじあるいは他の貫入器具の使用を可能とするものである。
【００４２】
本発明に係る接合クリップとしての建築部材は、クリップとパネルとの統合を能率化させ、また例えば建物及び家具の製作を容易化するものである。
【図面の簡単な説明】
【００４３】
【図１】本発明に係る建築部材の一実施態様であるスタッド中へ挿入された本発明に係る調整装置の第一の実施態様を示す斜視図である。
【図２】図１に示した調整装置及びスタッドの構成部品を示す展開図である。
【図３】本発明に係る調整装置の第二の実施態様及び図１及び図２に示したものと同様のスタッドを示す展開斜視図である。
【図４】前述の図に示したものと同様なスタッド中へ挿入され、プレストレスを与えられた状態にある本発明に係る調整装置の第三の実施態様を示す斜視図である。
【図５】スタッドが高位置にあり、調整装置へストレスが与えられていない状態にある図４に示した実施態様の斜視図である。
【図６】図４に示した調整装置及びスタッド下部を示す正面図である。
【図７】図６に示したスタッド及び調整装置の側面図である。
【図８】スタッドが高位置にあり、調整装置にストレスが加えられていない状態にある図６に示した調整装置及びスタッド下部の正面図である。
【図９】図８に示したスタッド及び調整装置の側面図である。
【図１０】図６に示した調整装置のスタッドのない態様を示す図である。
【図１１】図１０に示した調整装置の側面図である。
【図１２】図１０及び図１１に示した調整装置の斜視図である。
【図１３】図１ないし図３に示したスタッドの省略のない状態、及びスタッド用の接合クリップの一実施態様を示す斜視図である。
【図１４】図１３に示したスタッド及び接合クリップを、図１３に示したパネルとともにすべてが接合された状態で示した図である。
【図１５】本発明に係るスタッドの第二の実施態様を示す断面図である。
【図１６】２つのウェブと、第一、第二及び第三アームを有する縦仕切りである本発明に係る建築部材の第三の実施態様を示す斜視図である。
【図１７】図１６に示した実施態様と類似するが、第一、第二、第三及び第四アームを有する点で異なる実施態様を示した図である。
【国際公開パンフレット】
2004521212.tif 000003
2004521212.tif 000004
2004521212.tif 000005
2004521212.tif 000006
2004521212.tif 000007
2004521212.tif 000008
2004521212.tif 000009
2004521212.tif 000010
2004521212.tif 000011
2004521212.tif 000012
2004521212.tif 000013
2004521212.tif 000014
2004521212.tif 000015
2004521212.tif 000016
2004521212.tif 000017
2004521212.tif 000018
2004521212.tif 000019
2004521212.tif 000020
2004521212.tif 000021
2004521212.tif 000022
2004521212.tif 000023
2004521212.tif 000024
2004521212.tif 000025
2004521212.tif 000026
2004521212.tif 000027
2004521212.tif 000028
2004521212.tif 000029
2004521212.tif 000030
2004521212.tif 000031
2004521212.tif 000032
2004521212.tif 000033
2004521212.tif 000034
【手続補正書】
【提出日】平成16年1月28日(2004.1.28)
【手続補正１】
【補正対象書類名】特許請求の範囲
【補正対象項目名】全文
【補正方法】変更
【補正の内容】
【特許請求の範囲】
【請求項１】
基部、
前記基部から直立し及び前記基部によって支持される、複数の溝が設けられたピン、及び
１または２以上の前記溝と噛合って前記基部とカム素子との間の間隔を変更できる突出部を有する回転可能なカム素子、を備え、前記カム素子は、前記突出部がいずれの前記溝とも係合せず、かつ、前記ピンが前記カム素子を自由に通過できる位置に回転されるようになっていることを特徴とする調整装置。
【請求項２】
前記基部に対して前記カム素子を付勢する手段をさらに備えることを特徴とする請求項１項記載の装置。
【請求項３】
前記付勢手段に前記カム素子を前記基部から離れるように付勢するスプリングが備えられていることを特徴とする請求項２項記載の装置。
【請求項４】
前記溝が傾斜していることを特徴とする請求項１項ないし３項のいずれかに記載の装置。
【請求項５】
前記溝がねじ山を形成することを特徴とする請求項４項記載の装置。
【請求項６】
前記溝が平行であり、前記ピンが対向し合う側面を有し、及び前記一組の溝が前記ピンの側面のうちの一方に配置され、第二の一組の溝が前記ピンの対向する他の側面に配置されていることを特徴とする請求項４項記載の装置。
【請求項７】
前記カム素子に、該カム素子の回転を容易にする器具を受けるようになった開口部が設けられていることを特徴とする請求項１項ないし６項のいずれかに記載の装置。
【請求項８】
第一の組の二つ以上のチャネルと第二の組のチャネルを備え、各組の各チャネルはパネルまたはブラケットを前記建築部材へ取り付けるための連携手段を受けるようになっており、前記第一の組のチャネルは前記第二の組のチャネルに対して平行でかつ該第二の組のチャネルから一定間隔が空けられており、第一の組のチャネルの各チャネルは一対の側部の間に基部を有し、第一の組のチャネルのチャネルの基部は一線をなしており、前記第一の組のチャネルは第一及び第二ウェブによって前記第二の組のチャネルから間隔が空けられており、前記第一ウェブは前記第二ウェブに対して平行でかつ該第二ウェブから一定間隔が空けられていることを特徴とする、スタッドあるいは縦仕切りとしての使用に適する建築部材。
【請求項９】
チャネルの各組が３つのチャネルから成ることを特徴とする請求項８項記載の建築部材。
【請求項１０】
前記建築部材に第一及び第二アームが備えられ、前記第一アームは前記第二アームに対して一定角度をなし、各アームには第一のチャネル一組、第二のチャネル一組及び、第一及び第二ウェブが備えられていることを特徴とする請求項８項または９項記載の建築部材。
【請求項１１】
前記第一及び第二アーム間の角度が９０°であることを特徴とする請求項１０項記載の建築部材。
【請求項１２】
２以上のアームを有することを特徴とする請求項１０項記載の建築部材。
【請求項１３】
３本のアームを有し、かつＴ字形状であることを特徴とする請求項１２項記載の建築部材。
【請求項１４】
４本のアームを有し、かつ十字形状であることを特徴とする請求項１２項記載の建築部材。
【請求項１５】
前記複数のアームが２以上の平面に存在することを特徴とする請求項１２項記載の建築部材。
【請求項１６】
請求項８項ないし１５項のいずれかに記載の建築部材中へ挿入された請求項１項ないし７項のいずれかに記載の調整装置。
【請求項１７】
パネルあるいはブラケットを請求項８項ないし１５項のいずれかに記載された建築部材へ取り付けるようになっており、かつ一対の可撓性アームが備えられた前記連携手段とさらに接合クリップをパネルあるいはブラケットへ連結する手段を備える接合クリップとしての建築部材であって、前記接合クリップには、二つの分離した部分、即ち、前記接合クリップをパネルまたはブラケットへ連結するための手段を含む長手方向に延びた第一部分と前記一対の可撓性アームを含む長手方向に延びた第二部分が設けられ、前記第一部分は前記第二部分と接合するようになっていることを特徴とする、前記接合クリップとしての建築部材。
【請求項１８】
前記第一部分に前記第二部分上のチャネルへ噛合いあるいは滑り込むようになった突出部が設けられていることを特徴とする請求項１７項記載の建築部材。
【請求項１９】
前記第二部分に前記第一部分上のチャネル中へ噛合いあるいは滑り込むようになった突出部が設けられていることを特徴とする請求項１７項記載の建築部材。
【請求項２０】
前記第一及び第二部分がこれら相互間の結合を補助するように比較的可撓性である素材で作られていることを特徴とする請求項１７項ないし１９項のいずれかに記載の建築部材。
【請求項２１】
内部排水系あるいは密封体としても機能することを特徴とする請求項１７項ないし２０項のいずれかに記載の建築部材。
【請求項２２】
剛性のある素材から成ることを特徴とする請求項１７項記載の建築部材。
【請求項２３】
ステンレススチールから成ることを特徴とする請求項２２項記載の建築部材。
【請求項２４】
前記補助手段中に備えられた前記可撓性アームにチャネルの壁の溝を補足するようになった溝が設けられていることを特徴とする請求項１７項記載の建築部材。
【請求項２５】
添付図面の図１及び２、または３、または４ないし１２を参照して本出願書類中に実質的に記載された調整装置。
【請求項２６】
添付図面の図１ないし３、または３、または４ないし１２、または１３及び１４、または１５、または１６、または１７を参照して本出願書類中に実質的に記載されたスタッドあるいは縦仕切りとしての建築部材。
【請求項２７】
添付図面の図１ないし１３及び１４を参照して本出願書類中に実質的に記載された接合クリップとしての建築部材。
【手続補正２】
【補正対象書類名】明細書
【補正対象項目名】全文
【補正方法】変更
【補正の内容】
【発明の詳細な説明】
【技術分野】
【０００１】
本発明は、建築作業におけるスタッド等の垂直高の調整に特に有用な調整装置に関する。便宜上、本発明はしばしば上記との関連性において説明されているが、本発明はこの分野に限定されるものではない。本発明の用途は広く、例えば家具組立との関連、及びレストランのテーブル、冷蔵庫、洗濯機等の水準度調整にも利用することが可能である。さらに他の用途にも利用可能である。
本発明はさらに建設工業に関連する有用かつより改善された建築部材にも関する。本発明は建築における内壁や内部の仕切り及び外壁、特に外装材に利用可能である。尚、本発明は必ずしもこれらの用途に限定されないことを理解されたい。
【背景技術】
【０００２】
第一の態様に関して、建築産業においては、他の多くの用途と同様に、最大６〜７ｍｍまで調整できることが望ましい。本発明は上記程度の調整を可能とする装置を提供することが目的であるが、少なくとも態様によっては前記装置が例えば５０ｍｍ以上のずっと大きな調整に使用できることも有用である。
加圧はもちろん、あるいは加圧に代えて張力を付与できる調整装置を提供することも望ましい。つまり、前記装置は「引っ張る」と同時に「押し付ける」こともできることが望ましい。本発明は少なくともいくつかの態様において、上記装置を提供することを目的としている。
【０００３】
第二の態様に関して、本発明は国際特許出願ＰＣＴ／ＡＵ９７／００６８１（以下「ＰＣＴ出願」という）に開示された発明の発展形であり、該出願の内容は本明細書中に参照のため含めてある。
【０００４】
前記ＰＣＴ出願はスタッドとしての建築部材について開示している。このスタッドには第一のチャネル一組と第二のチャネル一組が設けられている。各組の各チャネルは前記スタッド上へパネルあるいはブラケットを取り付けるための補助手段を受けるようになっている。前記第一のチャネル一組は前記第二のチャネル一組と平行で、かつ間隔を有している。
前記チャネルの数に関する限定はないが、各組について３個であることが好ましい。また、前記第一のチャネル一組は単一のウェブによって前記第二のチャネル一組から間隔を有していることが好ましく、この状態は図１ないし３、６、８、１０及び１２ないし２０に示されている。
【０００５】
前記ＰＣＴ出願にはさらに接合クリップとしての建築部材が開示されている。この接合クリップは、前記ＰＣＴ出願に同じく開示されているスタッドへパネルあるいはブラケットを取り付けるようになっている。この接合クリップには、（スタッド各組の各チャネル中に受けられる）補助手段が備えられている。この接合クリップにはさらに、該接合クリップを前記パネルあるいはブラケットへ連結する手段が備えられている。この補助手段には一対の可撓性アームが備えられている。
【発明の開示】
【発明が解決しようとする課題】
【０００６】
第一の態様として、本発明では、
基部、
前記基部から直立しかつ同基部によって支持された、複数の溝が設けられたピン、及び
前記溝の１または２以上と噛合って前記基部とカム素子との間の間隔を変更できる突出部を有する回転可能なカム素子、を備える調整装置が提供されている。
カム素子は、突出部が溝と係合しない位置まで回転されることができるので、カム素子は大雑把な調整を行うよう種々の位置へセットされることができ、次に微調整のために溝に係合される。そのため本発明の装置は、種々の位置にリセットすることができ、従って広範囲の高さ調整を行うことができる。
カム素子は、スタッド又は他の素子が付設の調整装置と共に、ピンの全長に亘ってカム素子の突出部が係合することなく昇降できるように設計されている。
本発明に係る調整装置中のピンは所望のいかなる長さとしてもよい。本発明に係る調整装置は、建築に使用される場合、多くは６−７ｍｍ前後の調整を行うために用いられるであろうが、本調整装置をさらに大きな調整に用いることも全く可能である。
前記ピン上の溝は傾斜していることが好ましい。これらの溝はねじ山を形成するかあるいはピンの反対面に傾斜した平行な一連の溝を形成してもよい。
前記カム素子は、アレンキーあるいは類似の器具によって回転が起こされるように設計されていることが好ましい。
本発明に係る調整装置に付勢手段が備えられている場合、及び特に該調整装置をスタッドのウェブ中へ挿入する場合は、該調整装置は建築場所においてプレストレスが与えられた状態で供給されることが好ましい。これはスプリングによって与えられる付勢に抗して溝の１つへカム素子を噛合わせることによって達成可能である。建築場所において、（高さの僅かなあるいは大きな不一致を整えるため）スタッドの調整が望まれる場合、スタッドを上下させるため、カムを回転させて当初噛合っていた溝の上または下の溝と所望によって噛合わせることも可能である。前記調整装置にはカムを所望の位置に固定できる止め具が備えられている。前記カムをこの目的のための狭い弧で、例えば８０°より小さい角度範囲内で回転可能としてもよい。
上記実施態様において、もし建築場所においてより大きな高さの調整が必要であると判断されたならば、前記調整装置を、例えば８０°以上の回転を与えるとカムの突起とピンとの噛合いが解かれるように設計することも可能である。そうすればスプリングの付勢によってカムが基部から離れるので調整を必要とする高さまで上げて、その後にカムを回転して別の溝へ噛合わせてからその新たな位置で固定する。
本調整装置には前記基部に対して前記カム素子を付勢するスプリング等の手段が備えられていることが好ましい。尚、この付勢は前記基部から離れる方向のものであることが好ましい。本調整装置にはさらに、一旦基部とカム素子間に望ましい間隔が得られれば適所へカム素子をロックする手段が備えられていてもよい。もしカム素子がロックされていないならば、前記付勢手段の作用によってカム素子が基部から離れる方向に本調整装置を設計することも可能である。前記ピンの長さ及び前記溝の選択位置次第で、本調整装置をいかなる所望の範囲までも調整可能とすることができる。
【０００７】
本発明に係る調整装置はスタッドあるいは他の建築部材への挿入に特に適しているので、スタッドの垂直整合を本調整装置を用いて調整することが可能である。この場合、カム素子は建築構造物の床上においてスタッドを支える基部とともにウェブ中へ挿入されることが好ましい。カム素子を回転させることによってスタッドの高さを上方あるいは下方へ望み通りに調整することが可能である。本発明に係る調整装置は本発明の第二の態様に係る建築部材への挿入にも適していることが好ましい。
【０００８】
本発明の第二の態様に関して、もし前記第一の組の二つ以上のチャネルが相互に間隔を空けた第一及び第二のウェブによって前記第二の組のチャネルから一定の間隔を空けられるならば、前記ＰＣＴ出願記載のスタッドをより改善された形態に製造できることが見出された。
また、スタッドの改良を行うことにより、外壁、特にガラス張りあるいは外装材パネルに関して特に有用な縦仕切り（マリオン）を形成できることも見出された。
従って、第二の態様において、本発明は第一の組のチャネルと第二の組のチャネルを備える建築部材であって、各組の各チャネルは建築部材上へパネルあるいはブラケットを取り付けるための連携手段を受けるようになっており、前記第一の組のチャネルは前記第二の組のチャネルに平行でかつ第一及び第二のウェブによって前記第二の組のチャネルから一定間隔を空けて設けられ、第一の組のチャネルの各チャネルは一対の側部間に基部を有し、第一の組のチャネルの基部は一線をなしており、前記第一ウェブは前記第二ウェブに平行でかつそれから一定間隔を空けて配置されていることを特徴とする、スタッドあるいは縦仕切りとしての使用に適する建築部材を提供している。
【０００９】
前記連携手段へ前記ＰＣＴ出願において開示されたものと同様な一対の可撓性アームを備えることも可能である。また、該アームに代えて、あるいはそれに加えて、前記連携手段へ、その開示内容を本明細書中に参照のため記載した国際特許出願Ｎｏ．ＰＣＴ／ＡＵ９９／００１８５に開示されたものと同様な遠隔装置によって作動できる留め金具を備えることも可能である。
本発明の第二の態様に係る建築部材に関しては、各組の各チャネルには基部が備えられ、いくつかの用途においては、該基部を貫通して、あるいは基部へ貫入してねじ留めできることが有効である。互いに間隔を空けた２つのウェブを用いることにより、いずれのウェブの強度に影響を与えることなく、第一及び第二ウェブ間のチャネルの基部中へねじあるいは他の貫入型器具が挿入できるようになる。かかる効果は、例えば前記ＰＣＴ出願の図１に示された状態とよい対照をなすものである。もし前記ＰＣＴ出願の図１中の中央のチャネル１１の基部１３の中心を通してねじ留めすることを望むならば、ねじはウェブ１１へ貫入してその完全性を損ないスタッドを弱める可能性がある。かかる問題点は、本発明に係る建築部材を用いることによって防止することが可能となる。
本発明に係る建築部材がスタッドとして用いられる場合、前記第一及び第二ウェブを該建築部材の中心線に近接して配置し、この中心線が前記第一のチャネル一組の中心から前記第二のチャネル一組の中心を通って延びていることが好ましい。しかしながら、本発明に係る建築部材は縦仕切りとしても用いることができ、その場合は前記第一及び第二ウェブは可能な限り前記中心から離れて配置されていることが好ましい。
本発明に係るスタッドあるいは縦仕切りはいずれか適当な素材から製造できるが、スチールまたはアルミニウムから製造することが好ましい。望ましい場合は、本発明に係るスタッドまたは縦仕切りへ、質量の軽減のため、あるいは前記補助手段の受け入れ及び保持を強化するため、溝を形成することも可能である。かかる見地からの好ましい実施態様は添付図面に示されている。
前記第一及び第二ウェブを用いことによってもスタッドまたは縦仕切りが強化され、また捩れの起こる蓋然性を減じつつ、より軽重かつ薄い材料をそれらの製造に用いることが可能となる。
本発明に係る建築部材を縦仕切りとして用いる場合、一組のチャネルの形状が他の一組のチャネルの形状と異なっている方が都合がよい。本発明に係る縦仕切りを用いることにより、骨組が隠れている建物へ外装材あるいはファサードを供給するシステムの提供が可能となる。かかる骨組とはガラスあるいは外装材パネルに順応でき、上記パネルの簡単な嵌め込みが可能なものである。また縦仕切りは前記ファサードのための排水系を与えることも可能である。一組のチャネルはガラスあるいは外装パネルに適合でき、一方他の一組のチャネルは建築構造物の内装に適合できる。
とりわけ、本発明に係る建築部材が縦仕切りとして用いられる場合、該縦仕切りには第一アームと第二アームが設けられてもよく、前記第一アームは第二アームに対して一定の角度をなし、各アームは２以上のチャネルを備えて並行に設置される。
前記第一及び第二アームに加えて、本発明のこの態様による建築部材には第三、あるいは第三及び第四アーム、あるいはさらにそれ以上のアームが備えられていてもよい。第一及び第二アーム間の角度は９０°が好ましいが、他の角度を排除する意図ではない。アームが２個である場合、前記建築部材は好ましくは「Ｌ字形状」である。アームが３個である場合、前記建築部材は好ましくは「Ｔ字形状」を呈する。４個のアームを備える前記建築部材の形状は好ましくは十字形状である。
前記第一、第二アーム等は単一平面に位置しているか、あるいは２または３の平面に位置していてもよい。
各アームには３つのチャネルが備わっていることが好ましい。アーム同士が「接する」各チャネル間の接合部は、特に本発明のこの態様に係る建築部材が排水性を与えられるという要望が考慮されていれば、いかなる所望の形態をとってもよい。
望ましい場合、本発明の本態様による建築部材が２つのウェブによって結合された鏡像を成し、各アームが本発明の第二の態様によるスタッドに類似するよう該建築部材を形状化することも可能である。
上記したように、本発明のスタッド又は縦仕切りには溝が設けられる。これらの溝の少なくとも幾つかはチャネル壁に設けられる。相補的な溝が接合クリップの可撓性アームに設けられ、少なくとも接合クリップを溝から離脱することが必要となる時まで、接合クリップの選択された溝へのロックをアシストする。
当業者には明らかなように、本発明の接合クリップ及びスタッド又は縦仕切りを用いることによって、パネルをスタッド又は縦仕切りに固定することが可能である。又、本発明のスタッド又は縦仕切りは、前記ＰＣＴ出願における接合クリップに、及び、本発明の接合クリップは前記ＰＣＴ出願のスタッドに、各場合共、必要なら適切な調整の元に使用できることが理解できよう。
本発明のスタッド又は縦仕切りは、それを現場で縦方向に調整できるような手段を含んでいても良い。
本発明は又、スタッド又は縦仕切りであるところの本発明の建築要素と組み合わされる本発明の調整装置を提供する。本発明のこの調整装置は、本発明の第二の実施態様である建築要素内に好ましく挿入される。
【００１０】
前記ＰＣＴ出願において開示されたクリップの製造方法を一部分以上において工夫できることが今や見出された。工場において前記接合クリップの一部をパネルあるいはブラケットへ取り付け、さらに前記連携手段を含む該クリップの他の部分を前記パネルから切り離して移動し建築場所において取り付けられるので、この方法は特に有用である。これにより、移動中に連携手段へ損傷が起こることを防止することが可能となる。
上記したいくつかの実施態様における新たなクリップの他の有用な特徴は、スタッドあるいは縦仕切りとパネルあるいはブラケットとの配列に関して与えられる寸法上の許容性である。
【００１１】
従って、本発明は第三の態様において、上記のスタッドあるいは縦仕切りへのパネルあるいはブラケットの取り付けに適した接合クリップとしての建築部材を提供している。この接合クリップには連携手段が備えられ、さらにパネルあるいはブラケットへ接合クリップを連結する手段も備えられ、前記連携手段には一対の可撓性アームが備えられ、前記接合クリップには二つの分離した部分、即ち、パネルあるいはブラケットへ接合クリップを連結する手段を備える長手方向に延びる第一部分と前記一対の可撓性アームを備える長手方向に延びる第二部分が設けられ、この第一部分は第二部分と噛合うようになっていることが特徴となっている。
【００１２】
前記第一部分はパネルあるいはブラケットへ例えば接着、釘打ち、あるいはねじ留め等の単純な方法で取り付けられることが好ましい。前記第一部分はいずれか適当な方法で前記第二部分と噛合わせることができる。前記第一部分には前記第二部分上のチャネル中へ噛合うかあるいは滑り込む突出部が設けられていることが好ましい。逆に第二部分へ第一部分上のチャネル中へ噛合うかあるいは滑り込むように適合した突出部を設ける構成としてもよいことは勿論である。また他の構成とすることも可能である。
前記第一部分をクリップ担体と言い、他方前記第二部分をクリップと言うことができる。これらの用語は添付図面中に記載した好ましい実施態様に関して用いられる。また、前記第一及び第二部分の双方とも、一方と他方との噛合いを補助するため及び設置場所の広さの変化に柔軟に対応できるよう比較的可撓性のある材料を用いて作られることが好ましい。前記接合クリップの素材は現場での膨張及び収縮に対応できるものであってもよい。
前記接合クリップを適切に設計することにより、接合クリップはパネル組立体における内部ドレンとしても機能することが可能である。接合クリップは、この機能に代わってあるいはそれに加えて、パネル組立体のための密封体を形成することも可能である。
【００１３】
プラスチックポリマー等の比較的柔軟な素材で製造する代わりに、前記接合クリップの一方の部分あるいは両方の部分を、特に屋外での使用のために、より剛性のある素材で製造することも可能である。例えばステンレススチールを用いることができる。
【００１４】
前記したように、クリップ担体は工場内においてパネルへ取り付け可能である。クリップは建築場所で設置でき、またクリップ担体は建築場所において該クリップへ取り付け可能である。前記第一及び第二部分間の噛合いはそれら部分を一緒に押し付け、かつスタッドあるいは縦仕切り中の適当なチャネル中へ第二部分を押し付けることによって起こることが好ましい。しかしながら必要なら、一方をあるいは一方の一部を他方の中へ滑り込ませることによって噛合わせることも可能である。
前記したように、本発明に係るスタッドあるいは縦仕切り中に溝を形成してもよい。便宜上、これら溝の少なくともいくつかをチャネル壁中に形成してもよい。接合クリップ上の可撓性アーム上へ相補的な溝を形成して、少なくともチャネルから接合クリップが取り外されることが望まれるまで、選択されたチャネル中への接合クリップの固定を補助することも可能である。
【００１５】
当業者には明らかであるように、本発明に係る接合クリップ及びスタッドあるいは縦仕切りを用いてスタッドあるいは縦仕切りへパネルを前進固定することも可能である。また、いずれの場合も必要であれば適当な調整を加えて、本発明に係るスタッドあるいは縦仕切りを前記ＰＣＴ出願に記載の接合クリップとともに用い、また本発明に係る接合クリップを前記ＰＣＴ出願記載のスタッドとともに用いることが理解されるべきである。
本発明に係るスタッドあるいは縦仕切りへ、それらを現場で垂直方向に調整できる手段を備えることも可能であると考えられる。
本発明ではさらに、スタッドあるいは縦仕切りとしての本発明に係る建築部材へ一体化された本発明に係る調整装置が提供されている。本発明に係る調整装置は本発明の第二の態様に係る建築部材中へ挿入されていることが好ましい。
【００１６】
本発明の第二の態様に係る建築部材に関しては、各組の各チャネルには基部が備えられ、いくつかの用途においては、該基部を貫通して、あるいは基部へ貫入してねじ留めできることが有効である。互いに間隔を空けた２つのウェブを用いることにより、いずれのウェブの強度に影響を与えることなく、第一及び第二ウェブ間のチャネルの基部中へねじあるいは他の貫入型器具が挿入できるようになる。かかる効果は、例えば前記ＰＣＴ出願の図１に示された状態とよい対照をなすものである。もし前記ＰＣＴ出願の図１中の中央のチャネル１１の基部１３の中心を通してねじ留めすることを望むならば、ねじはウェブ１１へ貫入してその完全性を損ないスタッドを弱める可能性がある。かかる問題点は、本発明に係る建築部材を用いることによって防止することが可能となる。
【００１７】
本発明に係る建築部材がスタッドとして用いられる場合、前記第一及び第二ウェブを該建築部材の中心線に近接して配置し、この中心線が前記第一のチャネル一組の中心から前記第二のチャネル一組の中心を通って延びていることが好ましい。しかしながら、本発明に係る建築部材は縦仕切りとしても用いることができ、その場合は前記第一及び第二ウェブは可能な限り前記中心から離れて配置されていることが好ましい。
本発明に係るスタッドあるいは縦仕切りはいずれか適当な素材から製造できるが、スチールまたはアルミニウムから製造することが好ましい。望ましい場合は、本発明に係るスタッドまたは縦仕切りへ、質量の軽減のため、あるいは前記補助手段の受け入れ及び保持を強化するため、溝を形成することも可能である。かかる見地からの好ましい実施態様は添付図面に示されている。
前記第一及び第二ウェブを用いことによってもスタッドまたは縦仕切りが強化され、また捩れの起こる蓋然性を減じつつ、より軽重かつ薄い材料をそれらの製造に用いることが可能となる。
【００１８】
本発明に係る建築部材を縦仕切りとして用いる場合、一組のチャネルの形状が他の一組のチャネルの形状と異なっている方が都合がよい。本発明に係る縦仕切りを用いることにより、骨組が隠れている建物へ外装材あるいはファサードを供給するシステムの提供が可能となる。かかる骨組とはガラスあるいは外装材パネルに順応でき、上記パネルの簡単な嵌め込みが可能なものである。また縦仕切りは前記ファサードのための排水系を与えることも可能である。一組のチャネルはガラスあるいは外装パネルに適合でき、一方他の一組のチャネルは建築構造物の内装に適合できる。
とりわけ、本発明に係る建築部材が縦仕切りとして用いられる場合、該縦仕切りには第一アームと第二アームが設けられてもよく、前記第一アームは第二アームに対して一定の角度をなし、各アームは２以上のチャネルを備えて並行に設置される。
【００１９】
前記第一及び第二アームに加えて、本発明のこの態様による建築部材には第三、あるいは第三及び第四アーム、あるいはさらにそれ以上のアームが備えられていてもよい。第一及び第二アーム間の角度は９０°が好ましいが、他の角度を排除する意図ではない。アームが２個である場合、前記建築部材は好ましくは「Ｌ字形状」である。アームが３個である場合、前記建築部材は好ましくは「Ｔ字形状」を呈する。４個のアームを備える前記建築部材の形状は好ましくは十字形状である。
前記第一、第二アーム等は単一平面に位置しているか、あるいは２または３の平面に位置していてもよい。
【００２０】
各アームには３つのチャネルが備わっていることが好ましい。アーム同士が「接する」各チャネル間の接合部は、特に本発明のこの態様に係る建築部材が排水性を与えられるという要望が考慮されていれば、いかなる所望の形態をとってもよい。
望ましい場合、本発明の本態様による建築部材が２つのウェブによって結合された鏡像を成し、各アームが本発明の第二の態様によるスタッドに類似するよう該建築部材を形状化することも可能である。
【００２１】
調整装置としての本発明の第一の態様に関して、カム素子を、調整装置の取り付けられたスタッドあるいは他の素子をピン全体をカム素子を通して移動させることを必要とせずに上下できるように設計することも可能である。
本発明に係る調整装置中のピンは所望のいかなる長さとしてもよい。本発明に係る調整装置は、建築に使用される場合、多くは６−７ｍｍ前後の調整を行うために用いられるであろうが、本調整装置をさらに大きな調整に用いることも全く可能である。
前記ピン上の溝は傾斜していることが好ましい。これらの溝はねじ山を形成するかあるいはピンの反対面に傾斜した平行な一連の溝を形成してもよい。
【００２２】
前記カム素子には、溝と噛合って前記カム素子と前記基部との間の間隔を変更させる突出部が設けられていることが好ましい。
前記カム素子は、アレンキーあるいは類似の器具によって回転が起こされるように設計されていることが好ましい。
【００２３】
本発明に係る調整装置に付勢手段が備えられている場合、及び特に該調整装置をスタッドのウェブ中へ挿入する場合は、該調整装置は建築場所においてプレストレスが与えられた状態で供給されることが好ましい。これはスプリングによって与えられる付勢に抗して溝の１つへカム素子を噛合わせることによって達成可能である。建築場所において、（高さの僅かなあるいは大きな不一致を整えるため）スタッドの調整が望まれる場合、スタッドを上下させるため、カムを回転させて当初噛合っていた溝の上または下の溝と所望によって噛合わせることも可能である。前記調整装置にはカムを所望の位置に固定できる止め具が備えられている。前記カムをこの目的のための狭い弧で、例えば８０°より小さい角度範囲内で回転可能としてもよい。
【００２４】
上記実施態様において、もし建築場所においてより大きな高さの調整が必要であると判断されたならば、前記調整装置を、例えば８０°以上の回転を与えるとカムのピンとの噛合いが解かれるように設計することも可能である。そうすればスプリングの付勢によってカムが基部から離れるので調整を必要とする高さまで上げて、その後にカムを回転して別の溝へ噛合わせてからその新たな位置で固定する。このように本発明に係る調整装置は異なる位置にリセットできるので広範囲に及ぶ高さの調整に適応可能である。
【発明を実施するための最良の形態】
【００２５】
以下に本発明の種々態様についていくつかの実施態様を例に挙げて添付図面を参照しながら説明する。尚、以下に説明する実施態様によって本発明の範囲を限定する意図ではないことを理解されたい。
【００２６】
まず図１及び図２には、調整装置１０が基部１２から直立するピン１４を支持する基部１２とともに示されている。ピン１４にはこの例では、ピン１４の周囲にねじ形状に螺旋状に形成された複数の溝１６が設けられている。ピン１４には該ピン１４の頂部に端部止め具１８（図２参照）がさらに設けられている。
【００２７】
回転可能なカム素子２０はピン１４へ取り付けられるようになっており、カム素子２０にはそれが回転すると溝１６と噛合う内部突出部（図示せず）が設けられている。カム素子２０が一方向へ回転すると、カム素子はピン１４の上方へと登り、反対方向へ回転するとカム素子２０はピン１４から下降する。
カム素子２０には、アレンキー（図示せず）あるいはカム素子２０の回転を容易にする類似器具を挿入するための６角形状の開口部２２が設けられている。
カム素子２０は２つの部分２４及び２６から成っている。カム素子２０のピン１４へのロックはねじ２８によって行うことができる。
【００２８】
スタッド３０には二重のウェブ３２及び３４が備えられている。調整装置１０はウェブ３２及び３４のそれぞれに形成された開口部３６及び３８中へはめ込めかつ回転できるように設計されている。
【００２９】
当業者によれば容易に理解されるように、カム素子２０がピン１４上で回転するとスタッド３０が基部１２に対して上下され、こうしてスタッド３０の高さは所望される位置へ現場で調整される。
【００３０】
図３に示した第二の実施態様では、同様な部分には同じ符号が付されている。しかしながら、この第二の実施態様においてピン１４は、螺旋状のねじ溝ではなく側面が平坦で両側とも傾斜した溝が設けられた形状を成している。
本図では、内部突出部４０がカム素子２４上に示されている。カム素子２０が回転された時に傾斜した溝４２へ噛合うのはこの突出部である。
【００３１】
次に図４から図１２を参照して説明する。図１ないし図３と同様に、類似部分には同じ符号が付されている。調整装置１０はスプリング４４を備えている点で図３に示したものとは異なっている。スプリング４４はその上端においてクリップ４６によってスタッド３０へ取り付けられている。スプリング４４の下端は基部１２上へ載っている。スプリング４４はカム素子２０（スタッドを介して）を基部１２から離れるように付勢する。
【００３２】
図４に示した構成では、スプリング４４が圧縮され、突出部４０（本図では見えないため図３を参照）が溝４２の一つと噛合わされることによって該スプリングはその圧縮位置に保持される。アレンキーまたは他の適当な器具（図示せず）が六角形状の開口部２２中へ挿入され回転されると、突出部４０が溝４２と噛合うことにより、カム素子つまりはスタッド３０から基部１２までの間隔が変更される。もしカム素子２０が矢印４８で示される方向へ回転されると、前記間隔は増加する。逆方向への回転によって前記間隔は短くなる。
この実施態様では、内部止め具５１（図１２参照）（外側がリベット５０で表示されている）が約８０°を超える矢印方向の回転を制限している。もしこの段階でさらに調整が要求されるならば、矢印４８の方向と対向する方向へカム素子２０が回転することにより、突出部４０がすべての溝から離され、それによってピン１４のカム素子２０との噛合いも解かれる。スプリング４４によってカム素子２０及びスタッド３０は最大可能な位置まで持ち上げられる（スタッド３０上のいずれかの水平面及び／又は、ストレスがない状態におけるスプリング４４の長さによって決まる）。次いで矢印４８方向へのカム素子２０の回転によって突出部４０が溝４２と噛み合わされ、張力が付加された状態で所望の位置へスタッド３０が固定される。
カム素子２０をピン１４にある溝４２との噛合いから解放できるように、突出部４０（図３参照）は、カム素子２０内に隙間４１が残るように形成されている。隙間４１は、突出部４０が溝４２と噛合っていない時にピン１４がカム素子２０を通って通過できる大きさにされている。
【００３３】
上記いずれかの実施態様において、カム素子２０の部分２４及び２６をポップリベット締めを含むいずれか適当な方法で相互に取り付けられることは理解すべきことである。
【００３４】
次に図１３及び１４において、スタッド１１０には３本から成る２組に配置されたチャネル１１２が設けられている。各チャネル１１２には基部１１３が備えられている。チャネル１１２の各組は強化リブ１４０を備える平行なウェブ１３６及び１３８によって他方から分離されている。
【００３５】
接合クリップ１１６は２つの部分、すなわちクリップ担体１１５及びクリップ１１７から成っている。クリップ担体１１５は、溝１３１を通して部分１２０と部分１２１の間からパネル１１８中へ挿入されるねじまたは釘によって取り付けられるようになっている。クリップ担体１１５上の部分１２０及び１２１はクリップ１１７上のＣ字形状のチャネル１１９中へ押し込まれるか、あるいは滑動するようになっている。
クリップ１１７には、チャネル１１２の一つの中へ前進嵌め込め可能な可撓性アーム１１４ａ及び１１４ｂを備える補助手段が設けられている。アーム１１４ａ及び１１４ｂはチャネル１１２の側壁中の対応する溝へ入ってそこで固定する溝あるいは鋸歯１２６を持っている。
【００３６】
スタッド１１０にはさらに、重量を減ずるための溝１３２と、ねじ位置確定溝１３４が設けられている。
チャネル１１２の壁を二又状にして重量の軽減に役立つ大きな溝１４２を設けることも可能である。
【００３７】
既に指摘したように、工場においてクリップ担体１１５をパネル１１８へ取り付けておいて、建築場所へ搬送し、そこでクリップ１１７と結合させ、続いてスタッド１１０のチャネル１１２へ嵌め込むことも行える。
【００３８】
次に図１５において、スタッド１５０はスタッド１１０と類似しているが溝１３０、１３２及び１４２はより明瞭に示されている。しかしながら、スタッド１５０には強化リブ１４０がないことに気付くであろう。他の点においてスタッド１５０はスタッド１１０に極めて類似している。
【００３９】
図１６及び図１７では、建築部材１９０の各アームが対応するアームへウェブ１３６及び１３８によって連結されていることが分かる。
【産業上の利用可能性】
【００４０】
本発明に係る調整装置は構成部材の高さを調整するための便利かつ効率的な手段を提供する。例えばスタッドの整合のあるいは製造時の不十分な箇所を調整できるように、建築産業において直ちに利用できる装置である。本調整装置は、例えば同一場所において高さがかなり異なるスタッドの使用を可能とする。本調整装置は、とりわけ家具及び取付け具の同一水準性確保に利用することができる。
【００４１】
本発明に係るスタッドあるいは縦仕切りとしての建築部材は、これらスタッドあるいは縦仕切りの強度を低下させることなしに、ねじあるいは他の貫入器具の使用を可能とするものである。
【００４２】
本発明に係る接合クリップとしての建築部材は、クリップとパネルとの統合を能率化させ、また例えば建物及び家具の製作を容易化するものである。
【図面の簡単な説明】
【００４３】
【図１】本発明に係る建築部材の一実施態様であるスタッド中へ挿入された本発明に係る調整装置の第一の実施態様を示す斜視図である。
【図２】図１に示した調整装置及びスタッドの構成部品を示す展開図である。
【図３】本発明に係る調整装置の第二の実施態様及び図１及び図２に示したものと同様のスタッドを示す展開斜視図である。
【図４】前述の図に示したものと同様なスタッド中へ挿入され、プレストレスを与えられた状態にある本発明に係る調整装置の第三の実施態様を示す斜視図である。
【図５】スタッドが高位置にあり、調整装置へストレスが与えられていない状態にある図４に示した実施態様の斜視図である。
【図６】図４に示した調整装置及びスタッド下部を示す正面図である。
【図７】図６に示したスタッド及び調整装置の側面図である。
【図８】スタッドが高位置にあり、調整装置にストレスが加えられていない状態にある図６に示した調整装置及びスタッド下部の正面図である。
【図９】図８に示したスタッド及び調整装置の側面図である。
【図１０】図６に示した調整装置のスタッドのない態様を示す図である。
【図１１】図１０に示した調整装置の側面図である。
【図１２】図１０及び図１１に示した調整装置の斜視図である。
【図１３】図１ないし図３に示したスタッドの省略のない状態、及びスタッド用の接合クリップの一実施態様を示す斜視図である。
【図１４】図１３に示したスタッド及び接合クリップを、図１３に示したパネルとともにすべてが接合された状態で示した図である。
【図１５】本発明に係るスタッドの第二の実施態様を示す断面図である。
【図１６】２つのウェブと、第一、第二及び第三アームを有する縦仕切りである本発明に係る建築部材の第三の実施態様を示す斜視図である。
【図１７】図１６に示した実施態様と類似するが、第一、第二、第三及び第四アームを有する点で異なる実施態様を示した図である。特許請求の範囲  平成１５年７月７日提出の、原文の１６〜１９頁に係る補正が採用された。明細書  平成１５年７月７日提出の、原文の２〜１５頁に係る補正が採用された。
採用された補正以外の変更はない。




【国際調査報告】
2004521212.tif 000035
2004521212.tif 000036
2004521212.tif 000037
2004521212.tif 000038
2004521212.tif 000039
2004521212.tif 000040